(57)【要約】【課題】  現場の間口に対応させて、隙間なくぴったりと設置することができ、しかも手洗器あるいは洗面器の取付強度が確保されるカウンター設置構造を提供する。【解決手段】  分割された２枚のカウンター６，７の分割部分Ｓに排水管を通してカウンター６，７上に手洗器８を設置し、手洗器８に形成されている前垂れ部８ａで分割部分Ｓの前面を覆うように構成したカウンター設置構造において、カウンター６，７の下には、ベースキャビネット１，２，３が設けられ、このベースキャビネット１の桟木１ｂに固定された固定部材に手洗器８の排水管を取り付けて構成し、ベースキャビネット３と壁面間には間口調整部材４が配設されて間口調整される。【選択図】  図１
2006141637.tif 000002
【特許請求の範囲】
【請求項１】
２枚のカウンターに跨るように該カウンター上に手洗器あるいは洗面器を設置し、該手洗器あるいは洗面器に形成されている前垂れ部で前記２枚のカウンターの前面部を覆うように構成したカウンター設置構造において、前記カウンター下にはベースキャビネットが設けられ、該ベースキャビネットに固定された固定部材に前記手洗器あるいは洗面器を取り付けたことを特徴とするカウンター設置構造。
【請求項２】
前記２枚のカウンターの間には前記手洗器あるいは洗面器に接続された排水管が通され、前記ベースキャビネットに固定された固定部材に前記手洗器あるいは洗面器の排水管を取り付けたことを特徴とする請求項１に記載のカウンター設置構造。
【請求項３】
２枚のカウンターに跨るように該カウンター上に手洗器あるいは洗面器を設置するに際し、２枚のカウンターのうち第１カウンターは、間口の基準となる第１壁面に当接させて設置し、第２カウンターは、前記手洗器あるいは洗面器の下に呑み込ませる呑み込み代を調整して、間口の他方側の第２壁面に当接させて設置することを特徴とするカウンター設置方法。
【請求項４】
前記カウンター下に設けられるベースキャビネットの間口調整は、該ベースキャビネットの第２壁面側に間口調整部材を配設して行うことを特徴とする請求項３に記載のカウンター設置方法。
【請求項５】
前記第１壁面と前記ベースキャビネット間に、ふかし部材を入れることを特徴とする請求項３または請求項４に記載のカウンター設置方法。
【発明の詳細な説明】
【技術分野】
【０００１】
本発明は、手洗器あるいは洗面器を上載できて、間口調整が可能なカウンターの設置構造および設置方法に関するものである。
【背景技術】
【０００２】
従来、特許文献１に開示されているように、一対のキャビネットと、それぞれのキャビネットに上載する洗面カウンターより構成されて、間口幅を自由に調整できる洗面化粧台が存在する。
【０００３】
また、特許文献２に開示されているように、カウンターの側方に配置されたキャビネットに、カウンターの端部を呑み込ませることによって、カウンターの端部を切断せずに間口調整することのできるカウンター設置構造が存在する。
【特許文献１】実開昭６３−５２４８４号公報
【特許文献２】特開２００１−２７５８６０号公報
【発明の開示】
【発明が解決しようとする課題】
【０００４】
従来のカウンター設置構造においては、カウンター上に手洗器あるいは洗面器を設置する場合に、手洗器あるいは洗面器はカウンターに固定する必要があり、カウンターの下方のキャビネットに直接手洗器あるいは洗面器が固定されていないため、手洗器あるいは洗面器が上方へ持ち上げられた場合等における強度が不安定となるという問題点があった。
また、手洗器あるいは洗面器をカウンターに固定する構造では、取付け構造上、カウンターの材質が限定されるという問題点があった。
【課題を解決するための手段】
【０００５】
本発明は上記従来の問題点に鑑み案出したものであって、手洗器あるいは洗面器の上部持ち上げ取付強度を確保して、すっきりとした設置状態の得られるカウンター設置構造およびカウンター設置方法を提供するものであり、その請求項１は、２枚のカウンターに跨るように該カウンター上に手洗器あるいは洗面器を設置し、該手洗器あるいは洗面器に形成されている前垂れ部で前記２枚のカウンターの前面部を覆うように構成したカウンター設置構造において、前記カウンター下にはベースキャビネットが設けられ、該ベースキャビネットに固定された固定部材に前記手洗器あるいは洗面器を取り付けたことである。
【０００６】
また請求項２は、前記２枚のカウンターの間には前記手洗器あるいは洗面器に接続された排水管が通され、前記ベースキャビネットに固定された固定部材に前記手洗器あるいは洗面器の排水管を取り付けた構成のカウンター設置構造である。
【０００７】
また請求項３は、２枚のカウンターに跨るように該カウンター上に手洗器あるいは洗面器を設置するに際し、２枚のカウンターのうち第１カウンターは、間口の基準となる第１壁面に当接させて設置し、第２カウンターは、前記手洗器あるいは洗面器の下に呑み込ませる呑み込み代を調整して、間口の他方側の第２壁面に当接させて設置するカウンター設置方法である。
【０００８】
また請求項４は、前記カウンター下に設けられるベースキャビネットの間口調整は、該ベースキャビネットの第２壁面側に間口調整部材を配設して行うことである。
【０００９】
また請求項５は、前記第１壁面と前記ベースキャビネット間に、ふかし部材を入れるカウンター設置方法である。
【発明の効果】
【００１０】
本発明は、２枚のカウンターに跨るように該カウンター上に手洗器あるいは洗面器を設置し、カウンター下のベースキャビネットに固定された固定部材に手洗器あるいは洗面器を取り付けたことにより、手洗器あるいは洗面器はキャビネットの固定部材に取り付けられるため、カウンターに取り付ける必要がなく、手洗器あるいは洗面器を上方へ持ち上げた際等における強度が確保されるものとなり、カウンターが石材等の材質であっても、カウンター上に手洗器あるいは洗面器を強固に設置できるものとなる。
【００１１】
また、２枚のカウンターの間には手洗器あるいは洗面器に接続された排水管が通され、ベースキャビネットに固定された固定部材に、手洗器あるいは洗面器の排水管を取り付けたことにより、手洗器あるいは洗面器は排水管を介してキャビネットに固定された固定部材に取り付けられるため、手洗器あるいは洗面器を上方へ持ち上げた際等における強度が確保されるものとなり、手洗器あるいは洗面器をカウンターに取り付ける必要がなく、カウンターが石材等の材質であっても、カウンター上に手洗器あるいは洗面器を強固に取り付けできるものとなる。また、排水管を固定部材に固定するため、手洗器あるいは洗面器を直接キャビネットに固定するものではないので、陶器製の手洗器あるいは洗面器が割れる虞もない。また、排水管を固定部材にナットで固定でき、施工も容易なものとなる。
【００１２】
また、２枚のカウンターに跨るように該カウンター上に手洗器あるいは洗面器を設置するに際し、２枚のカウンターのうち第１カウンターは、間口の基準となる第１壁面に当接させて設置し、第２カウンターは、手洗器あるいは洗面器の下に呑み込ませる呑み込み代を調整して、間口の他方側の第２壁面に当接させて設置することにより、間口の第１壁面を基準にして、順次片側から設置してゆくことができ、間口調整は第２カウンターをスライドさせて呑み込み代を調整して、間口いっぱいに、すっきりとした状態でカウンターを設置することができ、間口調整は片側だけとなるため、施工が楽なものとなる。
また、左右の何れ側にもカウンターを逆にするだけで、良好に対応して設置することができ、左右共通で同一部材を使用することができるものとなる。
【００１３】
また、カウンター下に設けられるベースキャビネットの間口調整は、ベースキャビネットの第２壁面側に間口調整部材を配設して行うことにより、間口の第１壁面を基準にして、ベースキャビネットの第２壁面側に間口調整部材を配設して間口調整でき、すっきりとした状態で間口いっぱいにベースキャビネットを設置することができ、間口調整は片側だけとなるため、施工が楽なものとなる。
【００１４】
また、第１壁面とベースキャビネット間に、ふかし部材を入れることにより、第１壁面側に部屋の入口が形成されていても、その入口枠とキャビネットの扉あるいは引出しとの干渉をふかし部材により良好に回避することができて、キャビネットの扉，引出しを良好に開閉できるものとなる。
【実施例】
【００１５】
以下、本発明の実施例を図面に基づいて説明する。
図１は、構成部材の分解斜視図であり、図２は、設置状態の正面構成図である。
基準となる第１壁面Ｗ１側には、板状のふかし部材５を挟み付けた状態で第１壁面Ｗ１に当接状にベースキャビネット１が設置され、このベースキャビネット１の前面には、観音開き状に扉１ａが設けられている。なお、ベースキャビネット１は、下設置面に設けられた上下調整可能なアジャスターで高さ及び水平を合わせた後に壁面に固定する。その後に、ベースキャビネット１の右側にサイドベースキャビネット２を連結する。
【００１６】
サイドベースキャビネット２は、本例では下方に引出し２ａが設けられており、上方には２連の紙巻器２ｂが設けられている。また、このサイドベースキャビネット２の右側に、サイドベースキャビネット３を連結する。サイドベースキャビネット３には、開き戸３ａが設けられている。
このように、第１壁面Ｗ１側から、ベースキャビネット１，サイドベースキャビネット２，３をそれぞれ連結固定した後に、サイドベースキャビネット３の右側端と第２壁面Ｗ２間の隙間寸法を測り、この隙間内に間口調整部材４を配設して間口調整を行う。この際に、隙間寸法に応じて、図３，図４，図５に示す間口調整部材４の何れかを選択して用いる。
【００１７】
図３の間口調整部材４は、隙間寸法が１７０ｍｍ〜３００ｍｍの場合に使用されるものであり、サイドベースキャビネット３に当接状に設置されるキャビネット当接片４ａと、キャビネット当接片４ａの裏側に呑み込ませた呑み込み片４ｂを備えており、第２壁面Ｗ２に固定する壁固定片４ｃが直角方向に形成されている。なお、呑み込み片４ｂにはカット用の溝が複数形成されており、呑み込み片４ｂを、キャビネット当接片４ａに設けた水平レール内にナットとボルトで微調整して固定できるように構成されている。
【００１８】
また、図４に示す間口調整部材４は、隙間寸法が８０ｍｍ〜２２０ｍｍの場合に使用するものであり、サイドベースキャビネット３に当接状に設置されるキャビネット当接片４ａと、キャビネット当接片４ａの裏側に呑み込ませた呑み込み片４ｂを備えており、第２壁面Ｗ２に固定する壁固定片４ｃが直角方向に形成されている。
【００１９】
更に、図５で示す間口調整部材４は、隙間寸法が６０ｍｍ以下の場合に採用されるものであり、厚み寸法の異なる複数枚の積層板４ｄ，４ｄ，４ｄが積層されて構成されており、隙間寸法に対応させて適宜積層板４ｄ，４ｄ，４ｄを剥がして寸法を調整できるように構成されている。なお、この図５の間口調整部材４に加えて、例えば厚み寸法が４０ｍｍの板状のスペーサーを追加して用いることで、隙間寸法が１００ｍｍの場合まで対応できるものである。
【００２０】
このように現場の間口の隙間寸法に対応して、図３，図４，図５の何れかの間口調整部材４を選択して用いることで、良好に間口調整して、第１壁面Ｗ１と第２壁面Ｗ２間の間口にぴったりとベースキャビネット１，サイドベースキャビネット２，３及び間口調整部材４を設置することができるものである。
その後に、ベースキャビネット１，サイドベースキャビネット２，３及び間口調整部材４の上面側に、第１カウンター６と第２カウンター７の２枚のカウンターを設置する。
第１カウンター６は、第２カウンター７よりも短く形成されており、例えば２種類程度の長さの異なるものが用意されている。また、第２カウンター７は、複数種類の長さの異なるものが用意されており、現場の間口寸法に対応させて何れかの長さのものを選択して使用できるものである。
【００２１】
先ず、第１カウンター６の壁当接辺６ａを基準となる第１壁面Ｗ１にぴったりと当接させて、第１カウンター６をベースキャビネット１の下方からビスでベースキャビネット１上に固定する。
また、第２カウンター７の右端側の壁当接辺７ａを第２壁面Ｗ２にぴったりと当接させて、第２カウンター７をサイドベースキャビネット２，３及び間口調整部材４の上面に設置し、キャビネット２，３の下からビスで固定する。
【００２２】
第１カウンター６及び第２カウンター７の設置状態では、第１カウンター６と第２カウンター７間に分割部分Ｓが形成され、この分割部分Ｓが本例ではベースキャビネット１の上面中央部に位置するように構成されており、このカウンター６，７の分割部分Ｓに上方より手洗器８を設置する。即ち、ベースキャビネット１の中心と手洗器８の中心を合わせて、カウンター６，７上に手洗器８を載せる。
【００２３】
なお、手洗器８は図６の縦断面拡大構成図で、また図７に裏面図で示すような構造となっており、前面側には垂下状に前垂れ部８ａが一体形成されて、反対側には水栓９を取り付けるための水栓取付孔８ｄが形成されている。また、ボール部８ｂの底面には、排水口８ｃが形成されており、この排水口８ｃには、上端がラッパ状の排水管１２が上方から差し込まれ、下方からナット１２ａで締め付けられて、下方へ垂下状に排水管１２が固設されている。
また、手洗器の左右には、脚部８１，８２が一体形成されており、左脚部８１の下端には、外下端当接部８１ａと、その内側に内下端当接部８１ｂが形成されている。同様に、右脚部８２においても、下端外側に外下端当接部８２ａが形成され、内側に内下端当接部８２ｂが形成されている。
【００２４】
前記第１カウンター６上には、左脚部８１の外下端当接部８１ａと内下端当接部８１ｂが当接状に載り、第２カウンター７上には、右脚部８２の外下端当接部８２ａが載る。なお、第２カウンター７の右脚部８２に対する呑み込み代は９０ｍｍ程度に設定されており、第２カウンター７を第２壁面Ｗ２に当接させて設置した場合に、第２カウンター７上に手洗器８の右脚部８２の内下端当接部８２ｂが当接する場合と、当接しない場合がある。
【００２５】
なお、図６に示すように、手洗器８に接続された排水管１２に下方から固定部材１０の挿入孔１０ｃを通し、固定部材１０の下方から排水管１２にナット１３を仮締めして、この状態で固定部材１０をベースキャビネット１の上面側の桟木１ｂ，１ｂにビス１１，１１で固定する。
即ち、固定部材１０は、桟木１ｂ，１ｂにビス１１，１１で固定される左右の固定片１０ａ，１０ａの中央部に、上方へ段状に取付片１０ｂが一体形成されており、取付片１０ｂの中央部に挿入孔１０ｃが形成されているものである。
【００２６】
このように、ビス１１，１１でベースキャビネット１の桟木１ｂ，１ｂに固定部材１０を固定した状態でナット１３を締め付けて、固定部材１０に排水管１２を取り付ける。これにより、固定部材１０を介して手洗器８はベースキャビネット１に固定されることとなり、第１カウンター６及び第２カウンター７が、例えば石材等の素材で構成されている場合においても、第１カウンター６，第２カウンター７に手洗器８を固定することなく、良好にベースキャビネット１に手洗器８を固定することができ、上方へ手洗器８を持ち上げる力が加わった場合にも、強度を確保することができるものとなる。
なお、排水管１２の下方には、図示しない止水栓及びトラップ配管等が接続されるものである。
【００２７】
このように本例では、基準となる第１壁面Ｗ１側に、ベースキャビネット１を当接状に設置し、その右側にサイドベースキャビネット２，３を連結して、間口調整部材４で第２壁面Ｗ２との隙間を完全に覆って、すっきりとした設置状態が得られ、キャビネット１，２，３の上面には、第１カウンター６を第１壁面Ｗ１に固定して、第２カウンター７を横方向にスライドさせて第２壁面Ｗ２に当接させ、間口いっぱいにカウンター６，７を設置することができ、カウンター６，７間に形成される分割部分Ｓに手洗器８の排水管１２を通して、手洗器８の前垂れ部８ａで分割部分Ｓの前面を覆い、カウンター６，７を横方向に連続した状態にすっきりと設置することができ、しかも手洗器８の排水管１２は、ベースキャビネット１の桟木１ｂに固定した固定部材１０に強固に取り付けることができるものとなる。
【００２８】
なお、基準となる第１壁面Ｗ１側に、ふかし部材５を介在させれば、第１壁面Ｗ１側に部屋の入口を構成する入口枠が設置された場合でも、入口枠と扉１ａの干渉を防ぎ、扉１ａを良好に全開させることができるものとなる。
また、本例では、第２壁面Ｗ２側で間口調整を行うものであるため、第１壁面Ｗ１側では間口調整を行う必要がなく、施工が楽なものとなる。
なお、本例では、手洗器８を設置した構成を例示しているが、手洗器に代えて洗面器を設置する場合でも同様な構造とすることができる。
【図面の簡単な説明】
【００２９】
【図１】カウンター設置構造を示す構成部材の分解斜視図である。
【図２】設置状態の正面構成図である。
【図３】間口調整部材の一例を示す斜視構成図である。
【図４】間口調整部材の一例を示す斜視構成図である。
【図５】間口調整部材の一例を示す斜視構成図である。
【図６】手洗器の設置状態の縦断面拡大構成図である。
【図７】手洗器の裏面図である。
【符号の説明】
【００３０】
１  ベースキャビネット
１ａ  扉
１ｂ  桟木
２  サイドベースキャビネット
２ａ  引出し
３  サイドベースキャビネット
４  間口調整部材
４ａ  キャビネット当接片
４ｂ  呑み込み片
４ｃ  壁固定片
４ｄ  積層板
５  ふかし部材
６  第１カウンター
６ａ  壁当接辺
７  第２カウンター
７ａ  壁当接辺
８  手洗器
８ａ  前垂れ部
８ｃ  排水口
８ｄ  水栓取付孔
９  水栓
１０  固定部材
１０ａ  固定片
１０ｂ  取付片
１０ｃ  挿入孔
１１  ビス
１２  排水管
１３  ナット
８１  左脚部
８１ａ  外下端当接部
８１ｂ  内下端当接部
８２  右脚部
８２ａ  外下端当接部
８２ｂ  内下端当接部
Ｓ  分割部分
【図１】
2006141637.tif 000003
【図２】
2006141637.tif 000004
【図３】
2006141637.tif 000005
【図４】
2006141637.tif 000006
【図５】
2006141637.tif 000007
【図６】
2006141637.tif 000008
【図７】
2006141637.tif 000009